(57)【要約】【課題】ユーザーに煩わしい操作をさせることなく、モバイルルータの無駄な電力消費を抑制することができる通信制御システムを提供する。【解決手段】通信制御システムは、複数のＷＡＮ側回線の接続モードから使用するものを選択する制御部を有するモバイルルータと、モバイルルータの移動速度に関する情報を取得する速度情報取得部を有する無線端末と、を備え、制御部は、無線端末より入手した情報に基づいて複数のＷＡＮ側回線の接続モードのうち最適なものを選択する。【選択図】図１
2020145571.tif 000002
【特許請求の範囲】
【請求項１】
複数のＷＡＮ側回線の接続モードから使用するものを選択する制御部を有するモバイルルータと、
前記モバイルルータの移動速度に関する情報を取得する速度情報取得部を有する無線端末と、を備え、
前記制御部は、前記無線端末より入手した前記情報に基づいて前記複数のＷＡＮ側回線の接続モードのうち最適なものを選択する、通信制御システム。
【請求項２】
前記制御部は、前記モバイルルータの移動速度が所定の閾値以上である場合には、前記複数のＷＡＮ側回線の接続モードのうち、前記モバイルルータが静止した状態でデータ通信速度が所定値以下のものを選択する、請求項１に記載の通信制御システム。
【請求項３】
複数のＷＡＮ側回線の接続モードを有するモバイルルータの移動速度に関する情報の取得が可能な無線端末より前記情報を入手する第１のステップと、
前記情報に基づいて前記複数のＷＡＮ側回線の接続モードのうち最適なものを選択する第２のステップと、を有する通信制御方法。
【請求項４】
前記第２のステップにおいて、前記モバイルルータの移動速度が所定の閾値以上である場合には、前記複数のＷＡＮ側回線の接続モードのうち、前記モバイルルータが静止した状態でデータ通信速度が所定値以下のものを選択する、請求項３に記載の通信制御方法。
【請求項５】
複数のＷＡＮ側回線の接続モードを有するモバイルルータの移動速度に関する情報の取得が可能な無線端末より前記情報を入手する第１の処理と、
前記情報に基づいて前記複数のＷＡＮ側回線の接続モードのうち最適なものを選択する第２の処理と、をコンピュータに実行させる、プログラム。
【請求項６】
前記第２の処理において、前記モバイルルータの移動速度が所定の閾値以上である場合には、前記複数のＷＡＮ側回線の接続モードのうち、前記モバイルルータが静止した状態でデータ通信速度が所定値以下のものを選択する、請求項５に記載のプログラム。
【発明の詳細な説明】
【技術分野】
【０００１】
本発明は、通信制御システム、通信制御方法及びプログラムに関する。
【背景技術】
【０００２】
特許文献１には、移動状態の判定結果で基地局選択を制限し、頻繁な基地局切替によるスループット低下等が発生しないようにする技術が開示されている。
【先行技術文献】
【特許文献】
【０００３】
【特許文献１】特開２０１４−１１０４５０号公報
【発明の概要】
【発明が解決しようとする課題】
【０００４】
一般的なモバイルルータは、複数のＷＡＮ側回線の接続モードを装備しており、ユーザーが複数のＷＡＮ側回線の接続モードから使用するものを選択する。ＷＡＮ側接続モードを選択する操作は、ユーザーに対し少なからず煩わしさを与える。また、ＷＡＮ側回線の接続モードと消費電力との関係は、一般的に、データ通信速度が同じである場合には、高速なＷＡＮ側回線の接続モードほど消費電力が大きくなる。しかしながら、モバイルルータにおける実際に通信出来るデータ通信速度は、モバイルルータの移動速度に依存して変化する。すなわち、モバイルルータの移動速度が速いほど、データ通信速度は遅くなる。このため、ＷＡＮ側回線の接続モードとしてデータ通信速度が高速なものを選択していても、モバイルルータの移動速度が速い場合には、実際のデータ通信速度が低速になってしまう。つまり、モバイルルータの移動速度が速い場合、ＷＡＮ側回線の接続モードとして、データ通信速度が高速なものを選択しても、データ通信速度が低速なものを選択したときとデータ通信速度は同じになり、モバイルルータは無駄に電力消費していることになる。
【０００５】
本開示の目的は、以上の背景に鑑みなされたものであり、ユーザーに煩わしい操作をさせることなく、モバイルルータの無駄な電力消費を抑制することができる通信制御システムを提供することにある。
【課題を解決するための手段】
【０００６】
一態様による通信システムは、複数のＷＡＮ側回線の接続モードから使用するものを選択する制御部を有するモバイルルータと、前記モバイルルータの移動速度に関する情報を取得する速度情報取得部を有する無線端末と、を備え、前記制御部は、前記無線端末より入手した前記情報に基づいて前記複数のＷＡＮ側回線の接続モードのうち最適なものを選択するものである。
【０００７】
一態様による通信制御方法は、複数のＷＡＮ側回線の接続モードを有するモバイルルータの移動速度に関する情報の取得が可能な無線端末より前記情報を入手する第１のステップと、前記情報に基づいて前記複数のＷＡＮ側回線の接続モードのうち最適なものを選択する第２のステップと、を有するものである。
【０００８】
一態様によるプログラムは、複数のＷＡＮ側回線の接続モードを有するモバイルルータの移動速度に関する情報の取得が可能な無線端末より前記情報を入手する第１の処理と、
前記情報に基づいて前記複数のＷＡＮ側回線の接続モードのうち最適なものを選択する第２の処理と、をコンピュータに実行させるものである。
【発明の効果】
【０００９】
上述の態様によれば、ユーザーに煩わしい操作をさせることなく、モバイルルータの無駄な電力消費を抑制することができる。
【図面の簡単な説明】
【００１０】
【図１】実施の形態１にかかる通信制御システムの構成を示すブロック図である。
【図２】実施の形態２にかかる通信制御システムの構成を示すブロック図である。
【図３】実施の形態２にかかる通信制御システムにおけるモバイルルータの移動速度と実施のデータ通信速度（ＷＡＮ通信速度）との関係を示すグラフである。
【図４】実施の形態２にかかる通信制御システムにおけるモバイルルータの移動速度の範囲に対する最適なＷＡＮ側回線の接続モードを示す一覧表である。
【図５】実施の形態２にかかる通信制御システムにおけるモバイルルータの制御部において、ＷＡＮ側回線の接続モードを選択する処理の流れについて示すフローチャートである
【図６】本実施の形態に係る通信制御システムの効果について説明する模式図である。
【図７】本実施の形態に係る通信制御システムの効果について説明する模式図である。
【発明を実施するための形態】
【００１１】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１２】
［実施の形態１］
図１は、実施の形態１にかかる通信制御システムの構成を示すブロック図である。図１に示すように、通信制御システム１は、モバイルルータ２と、無線端末３と、を備えている。モバイルルータ２は、複数のＷＡＮ側回線の接続モードから使用するものを選択する制御部２ａを有する。無線端末３は、モバイルルータ２の移動速度に関する情報を取得する速度情報取得部３ａを有する。制御部２ａは、無線端末３より入手したモバイルルータ２の移動速度に関する情報に基づいて，複数のＷＡＮ側回線の接続モードのうち最適なものを選択する。
【００１３】
このようにすることで、ユーザーに煩わしい操作をさせることなく、モバイルルータの消費電力を削減することができる。
【００１４】
［実施の形態２］
図２は、実施の形態２にかかる通信制御システム１００の構成を示すブロック図である。図２に示すように、通信制御システム１００は、モバイルルータ１０と、無線端末１１と、を備えている。モバイルルータ１０は、制御部１０１と、無線ＬＡＮ通信部１０２と、無線ＷＡＮ通信部１０３と、を備えている。無線端末１１は、速度情報取得部１１１を備えている。
【００１５】
制御部１０１は、無線ＬＡＮ通信部１０２と無線ＷＡＮ通信部１０３の制御を行う。無線ＬＡＮ通信部１０２は、スマートフォンなどの無線端末１１と接続される。無線ＷＡＮ通信部１０３は、無線ＷＡＮ基地局１２を介してインターネット１０４に接続される。無線ＷＡＮ通信部１０３は、無線ＷＡＮ通信部１０３がＷＡＮ側回線に接続される際のデータ通信速度を設定する、ＷＡＮ側回線の接続モードを複数有している。制御部１０１は、複数のＷＡＮ側回線の接続モードから使用するものを選択する。
【００１６】
速度情報取得部１１１は、ＧＰＳや加速度センサ等を使用してモバイルルータ１０の移動速度を取得する。なお、一般的なスマートフォンには、この速度情報取得部１１１が標準的に装備されている。ここで、モバイルルータ１０は、無線端末１１と移動を共にするため、無線端末１１におけるＧＰＳや加速度センサ等を使用して取得された移動速度は、モバイルルータ１０の移動速度と同じになる。制御部１０１は、無線端末１１よりモバイルルータ１０の移動速度に関する情報を入手する。
【００１７】
図３は、モバイルルータ１０の移動速度と実施のデータ通信速度（ＷＡＮ通信速度）との関係を示すグラフである。ここで、横軸はモバイルルータ１０の移動速度［ｋｍ／ｈ］、縦軸は実施のＷＡＮ通信速度［ｂｐｓ］である。また、モバイルルータ１０は、高速モード、中速モード、低速モードの３つの、ＷＡＮ側回線の接続モードを有している。図３に示すように、モバイルルータ１０が静止した状態では、ＷＡＮ通信速度は、高速モード、中速モード、低速モードの順に遅くなる（ＷＡＮ通信速度：高速モード＞中速モード＞低速モード）。また、消費電力は、高速モード、中速モード、低速モードの順に小さくなる（消費電力：高速モード＞中速モード＞低速モード）。
【００１８】
しかしながら、実際のＷＡＮ通信速度は、モバイルルータ１０の移動速度に依存して変化する。モバイルルータ１０の移動速度がＸＸ［ｋｍ／ｈ］のときには、高速モードと中速モードでＷＡＮ通信速度は同じになっている。また、ＹＹ［ｋｍ／ｈ］のときには、高速モード、中速モード、低速モードがいずれも同じＷＡＮ通信速度になっている。つまり、モバイルルータ１０の移動速度がＸＸ［ｋｍ／ｈ］以上ＹＹ［ｋｍ／ｈ］未満のときには、高速モードを選択した場合、中速モードとＷＡＮ通信速度が同じにもかかわらず、中速モードに対して消費電力は大きくなる。ＹＹ［ｋｍ／ｈ］以上のときには、高速モード、中速モードを選択した場合、低速モードとＷＡＮ通信速度が同じにもかかわらず、低速モードに対して消費電力は大きくなる。
【００１９】
図４は、モバイルルータ１０の移動速度の範囲に対する最適なＷＡＮ側回線の接続モードを示す一覧表である。図４に示すように、モバイルルータ１０の移動速度が０以上ＸＸ［ｋｍ／ｈ］未満のときには高速モードを選択するのが最適である。モバイルルータ１０の移動速度が、ＸＸ［ｋｍ／ｈ］以上ＹＹ［ｋｍ／ｈ］未満のときには中速モードを選択するのが最適である。ＹＹ［ｋｍ／ｈ］以上のときには低速モードを選択するのが最適である。なお、第１の閾値であるＸＸ［ｋｍ／ｈ］、第２の閾値であるＹＹ［ｋｍ／ｈ］は、予め作成された、モバイルルータ１０の移動速度と実施のデータ通信速度（ＷＡＮ通信速度）との関係を示すグラフ（図３参照）から決定される。このように選択されたＷＡＮ側回線の接続モードにより、モバイルルータ１０が無線ＷＡＮ基地局１２（図２参照）とＷＡＮ通信を行うことでモバイルルータ１０における無駄な電力消費を抑制することができる。
【００２０】
次に、モバイルルータ１０の制御部１０１において、ＷＡＮ側回線の接続モードを選択する処理の流れについて説明する。なお、以下の説明において図２についても適宜参照する。
図５は、モバイルルータ１０の制御部１０１において、ＷＡＮ側回線の接続モードを選択する処理の流れについて示すフローチャートである。図５に示すように、まず、無線端末１１よりモバイルルータ１０の移動速度を入手する（ステップＳ１０１）。
【００２１】
ステップＳ１０１に続いて、モバイルルータ１０の移動速度がＸＸ［ｋｍ／ｈ］以上か否か判定する（ステップＳ１０２）。ステップＳ１０２において、モバイルルータ１０の移動速度がＸＸ［ｋｍ／ｈ］未満と判定された場合、ＷＡＮ側回線の接続モードとして高速モードを選択し（ステップＳ１０３）、処理を後述するステップＳ１０７に進める。
【００２２】
ステップＳ１０２において、モバイルルータ１０の移動速度がＸＸ［ｋｍ／ｈ］以上と判定された場合、モバイルルータ１０の移動速度がＹＹ［ｋｍ／ｈ］以上か否か判定する（ステップＳ１０４）。ステップＳ１０４において、モバイルルータ１０の移動速度がＹＹ［ｋｍ／ｈ］未満と判定された場合、ＷＡＮ側回線の接続モードとして中速モードを選択し（ステップＳ１０５）、処理を後述するステップＳ１０７に進める。ステップＳ１０４において、モバイルルータ１０の移動速度がＹＹ［ｋｍ／ｈ］以上と判定された場合、ＷＡＮ側回線の接続モードとして低速モードを選択し（ステップＳ１０６）、処理を後述するステップＳ１０７に進める。
【００２３】
ステップＳ１０３、ステップＳ１０５、ステップＳ１０６に続いて、通信を終了したかいないか判定する（ステップＳ１０７）。ステップＳ１０７において、通信を終了していないと判定された場合、処理をステップＳ１０１に戻す。ステップＳ１０７において、通信を終了したと判定された場合、処理を終了する。
【００２４】
図６及び図７は、本実施の形態に係る通信制御システム１００の効果について説明する模式図である。図６には比較例に係る通信システム５００の場合、図７には本実施の形態に係る通信制御システム１００の場合を示す。図６に示すように、比較例に係る通信システム５００の場合、モバイルルータ５１０では、モバイルルータ５１０の移動速度に係わらず高速モードを選択している。高速モードでは消費電力が“大”である。モバイルルータ５１０の移動速度が０の場合は高速なＷＡＮ通信ができているが、モバイルルータ５１０の移動速度がＸＸ［ｋｍ／ｈ］の場合は中速なＷＡＮ通信、モバイルルータ５１０の移動速度がＹＹ［ｋｍ／ｈ］の場合は低速なＷＡＮ通信となっている。よって、モバイルルータ５１０の移動速度がＸＸ［ｋｍ／ｈ］の場合、モバイルルータ５１０の移動速度がＹＹ［ｋｍ／ｈ］の場合には、無駄に電力消費している。
【００２５】
これに対し、図７に示すように、本実施の形態に係る通信制御システム１００の場合、モバイルルータ１０では、モバイルルータ１０の移動速度に基づいてＷＡＮ回線の接続モードを選択している。すなわち、モバイルルータ５１０の移動速度が、０の場合は高速モード、ＸＸ［ｋｍ／ｈ］の場合は中速モード、ＹＹ［ｋｍ／ｈ］の場合は低速モードを選択している。モバイルルータ５１０の移動速度が０の場合は、消費電力が“大”で高速な通信である。モバイルルータ５１０の移動速度がＸＸ［ｋｍ／ｈ］の場合は、消費電力が“中”で中速な通信である。モバイルルータ５１０の移動速度がＹＹ［ｋｍ／ｈ］の場合は、消費電力が“小”で低速な通信である。よって、モバイルルータ５１０は、無駄な電力消費を抑制することができている。
【００２６】
なお、以上、実施の形態を参照して本開示について説明したが、本開示は上記の実施の形態に限定されるものではない。本開示の構成や詳細には、本願発明のスコープ内で当業者が理解し得る様々な変更をすることができる。
【００２７】
上述の実施の形態では、本開示をハードウェアの構成として説明したが、本開示は、これに限定されるものではない。本開示は、モバイルルータの制御部における各処理を、ＣＰＵ（Ｃｅｎｔｒａｌ  Ｐｒｏｃｅｓｓｉｎｇ  Ｕｎｉｔ）にプログラムを実行させることにより実現することも可能である。
【００２８】
上述のプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００２９】
１、１００        通信制御システム
２、１０          モバイルルータ
２ａ、１０１        制御部
３、１１          無線端末
３ａ、１１１        速度情報取得部
１２            無線ＷＡＮ基地局
１０２            無線ＬＡＮ通信部
１０３            無線ＷＡＮ通信部
１０４            インターネット
【図１】
2020145571.tif 000003
【図２】
2020145571.tif 000004
【図３】
2020145571.tif 000005
【図４】
2020145571.tif 000006
【図５】
2020145571.tif 000007
【図６】
2020145571.tif 000008
【図７】
2020145571.tif 000009